(57)【特許請求の範囲】
【請求項１】
垂直方向に伸び、かつ水平断面を同一断面積とする３つ以上の収納室(1)が横に隣接して同一平面に平行に並べて配設され、かつ、収納室(1)の前面は、収納室(1)に充填している骨材を外部から見ることができる透光性を有し、水平方向に横に並べて隣接している３つ以上の収納室(1)には、片方の端部から他方の端部に向かって次第に粒径が大きくなる骨材を充填しており、収納室(1)に充填している骨材の高さで粒度分布を表示するようにしてなる骨材の粒度分布サンプル。
【請求項２】
透明プレートである前板(2)と後板(3)を互いに平行で所定の間隔離して底板(4)に垂直に固定しており、前板(2)と後板(3)の両端を両側の側板(5)で連結すると共に、側板(5)の間に一定の間隔で複数の隔壁(6)を固定しており、前板(2)と後板(3)と底板(4)と側板(5)と隔壁(6)とで収納室(1)を設けている請求項１に記載される骨材の粒度分布サンプル。
【請求項３】
透明プレートを筒状に成形している筒体(7)を同一平面に並べて３つ以上の収納室(1)を設けている請求項１に記載される骨材の粒度分布サンプル。
【請求項４】
収納室(1)の全周を透明プレートとしている請求項１に記載される骨材の粒度分布サンプル。
【請求項５】
骨材がセメント用の骨材である請求項１に記載される骨材の粒度分布サンプル。
【請求項６】
区画された各々の収納室(1)の表面に、充填している骨材の粒径を表示している請求項１に記載される骨材の粒度分布サンプル。
【発明の詳細な説明】
【０００１】
【発明の属する技術分野】
本発明は、主としてコンクリートに充填される骨材の粒度分布を明確に表示できるサンプルに関する。
【０００２】
【従来の技術】
川や海から採取された骨材である砂、あるいは岩石を破砕して製造される骨材は、種々の粒度の骨材が混合されている。骨材は種々の用途に使用されるが、用途によって骨材の粒度分布が大切となる。たとえば、コンクリートに充填される骨材は、特定の粒度分布として硬化した状態での強度を向上できる。また、骨材は、たとえばイモのように排水性の要求される田畑の土に充填して使用されるが、この場合も特定の粒度分布のものを使用して植物をより好ましい栽培環境にできる。
【０００３】
特定の粒度分布が要求される骨材は、ふるいにかけて粒度の大きさに分別し、分別された骨材の重量を測定して、粒度分布を図６に示すようにグラフで表示している。
【０００４】
【発明が解決しようとする課題】
図６に示す粒度分布を示すグラフでもって、骨材の粒度分布を確認できる。ただ、このグラフでは粒度分布を表示できるが、各々の粒度の骨材の粒子形状、たとえば球形に近いか、あるいは破砕して尖った形状であるかを確認できない。骨材の種々の用途において、粒度分布のみでなく形状も大切である。たとえば、コンクリートに充填する骨材は、岩石を破砕して角の尖った粒子形状では充分な強度にできない。それは、骨材の充填状態が粒子形状で異なるからである。角の尖った骨材は、球形の骨材に比較して空隙が大きくなる。骨材は、粗骨材の間に充填されてコンクリートの強度を向上するので、現実にどのような状態で充填されるかが極めて大切である。このことを実現するために、岩石を破砕して製造される骨材は角を丸く加工している。ただ、骨材は、角を丸くするのに加工コストがかかるので、この加工をするほど処理コストが高くなる。このため、骨材の角を丸くする加工は、コストと使用状態の両方を考慮して最適値とする必要がある。このように骨材は、粒度分布のみでなくその粒子形状も大切なものであるが、従来の粒度分布を示すグラフでは、骨材の粒子形状や現実に充填される状態が明確にわからない欠点がある。さらに、種々の粒径のものが混在している骨材は、角を丸く加工するとき、大きいものと小さいものとで角が丸くなる状態が異なる。骨材は、大きい粒子の骨材の角を丸くすることが大切であるが、大粒子の骨材がどのように角が丸くなり、またどのような状態で充填されるかを明確に表示できることが大切である。
【０００５】
さらに、骨材は植物の栽培にも使用されるが、この用途においても、角が尖っていると植物の根を痛めることがある。このため、骨材の角がどのように丸くなっているかを明確に表示できると、植物を快適な環境で栽培できるかどうかを識別できる。とくに、骨材に含まれる大きな粒子の角が尖っていると、植物の根を痛めるので、大粒子の形状を明確とすることが特に大切である。
【０００６】
本発明は、骨材を用途に最適であるかどうかを明確に識別できるように、粒度分布のみでなくその粒子形状や充填状態をも明確に表示できる骨材の粒度分布サンプルを提供することにある。
【０００７】
【課題を解決するための手段】
本発明の骨材の粒度分布サンプルは、垂直方向に伸び、かつ水平断面を同一断面積とする３つ以上の収納室１を横に隣接して同一平面に平行に並べて配設している。収納室１の前面は、収納室１に充填している骨材を外部から見ることができる透光性を有する。さらに、粒度分布サンプルは、水平方向に横に並べて隣接している３つ以上の収納室１に、片方の端部から他方の端部に向かって次第に粒径が大きくなる骨材を充填しており、収納室１に充填している骨材の高さで粒度分布を表示している。
【０００８】
本発明の粒度分布サンプルは、透明プレートである前板２と後板３を互いに平行で所定の間隔離して底板４に垂直に固定して、前板２と後板３の両端を両側の側板５で連結すると共に、側板５の間に一定の間隔で複数の隔壁６を固定して、前板２と後板３と底板４と側板５と隔壁６とで収納室１を設けることができる。
【０００９】
さらに、本発明の粒度分布サンプルは、透明プレートを筒状に成形している筒体７を同一平面に並べて３つ以上の収納室１を設けることができる。
【００１０】
収納室１は、全周を透明プレートとすることができる。骨材は、セメント用の骨材とすることができる。さらに、本発明の粒度分布サンプルは、区画された各々の収納室１の表面に、充填している骨材の粒径を表示することができる。
【００１１】
【発明の実施の形態】
以下、本発明の実施例を図面に基づいて説明する。ただし、以下に示す実施例は、本発明の技術思想を具体化するための骨材の粒度分布サンプルを例示するものであって、本発明は粒度分布サンプルを下記のものに特定しない。
【００１２】
さらに、この明細書は、特許請求の範囲を理解し易いように、実施例に示される部材に対応する番号を、「特許請求の範囲の欄」、および「課題を解決するための手段の欄」に示される部材に付記している。ただ、特許請求の範囲に示される部材を、実施例の部材に特定するものでは決してない。
【００１３】
【実施例】
以下に図面を参照しながら、本発明に係る粒度分布サンプルの好適な実施例について説明する。
図１において、１Ａ〜１Ｅは、収納室１を表している。収納室１は、横方向に互いに隣接して配置され、互いに接着剤などの適宜の手段によって連結されている。収納室１の個数は、知りたい粒度の分布範囲により、３つ以上に任意の数にすることができる。各収納室１は、その水平断面が同じ大きさであり、その底面から垂直方向に伸びている。収納室１の前面は、充分な透明性を有する材質からなる透明プレートで構成されており、各収納室１に収納されている骨材を外部から観察することができる。
【００１４】
骨材の粒度分布を示すため、横方向に配列された収納室１には、ふるいにより等級ごとに選別された粒度の骨材がその等級（粒度）の順に一端の収納室１Ａから他端の収納室１Ｅに収納されている。すべての収納室１の水平断面を等しくしているため、各収納室１に収納されている骨材の占める高さが粒量として外部から観察できる。さらに前面が透明プレートであるため、骨材の粒度分布のみならずその粒形状も詳細に観察できる。
【００１５】
収納室に収納される骨材は、川や海で採取された砂、あるいは岩石を破砕して製造される骨材である。これらの骨材は、ふるいにより粒度ごとに選別されて、複数の収納室に、順に収納される。骨材は、たとえば、セメントに混入されるセメント用の骨材とすることができる。ただ、骨材には、植物の栽培に使用される骨材や、その他の用途に使用される種々の骨材とすることもできる。
【００１６】
図２は、他の好適な第２の実施例を示す。図２に示す粒度分布サンプルは、透明プレートからなる前板２と透明プレートからなる後板３とを底板４に垂直に固定しており、前板２と後板３の両端を側板５で連結し、両側板５の間を一定の間隔になるように複数の隔壁６で仕切ってある。これらの隔壁６によって仕切られた空間によって、第１実施例と同様に、底面が等しく、かつ水平断面が等しい複数の収納室１Ａ〜１Ｅが構成される。これらの収納室１Ａ〜１Ｅに、ふるいにより等級ごとに選別された骨材が一方の端から他方の端に等級ごとに収納されることは第１実施例と同じである。
この粒度分布サンプルは、前板２と後板３が透明プレートによって構成されているため、収納された骨材を前後のいずれからも観察できる。
【００１７】
図３は、本発明の第３の実施例を示す。この図に示す粒度分布サンプルは、透光性を有する材料で形成された筒体７を同一平面に並べて、複数の収納室１Ａ〜１Ｄを設けている。筒体７は、内部の材料が観察できるように、透明プレートで筒状に成形されており、その形状を同一の直径と軸方向への同じ長さを持つ筒状としている。これらの筒体７は、同一平面上に並べられて互いに接着剤などの手段により連結されている。各筒体７は内部が空室となっており、その内部空間で収納室１を構成している。これらの収納室１Ａ〜１Ｄに、ふるいにより等級ごとに選別された骨材が一方の端から他方の端に等級ごとに収納される。
この粒度分布サンプルは、各筒体７が同一直径および同一長さを有する収納室１であるため、粒度ごとに選別された骨材の粒度分布が一目で正確に観察できるのみならず、骨材の形状が一目で観察できる。
【００１８】
図４は、第４の実施例を示す。この図に示す粒度分布サンプルは、透光性を有する材料で形成された筒体７の内部を区画して複数の収納室１Ａ〜１Ｄを設けている。筒体７は、透明プレートを、均一な直径を有する筒状に成形したものである。筒体７の両端は、側板５により閉塞されている。さらに、筒体７の内部は、両側板５の間の空間が等間隔になるように、複数の隔壁６で区画している。これらの隔壁６で区画された同一間隔の区画で骨材の収納室１を構成している。これらの収納室１Ａ〜１Ｄに、ふるいにより等級ごとに選別された骨材が一方の端から他方の端に等級ごとに収納される。
この粒度分布サンプルも、各収納室１が同一直径および同一長さを有するので、粒度ごとに選別された骨材の粒度分布が一目で正確に観察できるのみならず、骨材の形状が一目で観察できる。
【００１９】
図５は、第５の実施例を示す。この図に示す粒度分布サンプルは、各収納室１に表示８を施している。この表示８は、その収納室１に収納された骨材の粒径を表示している。この表示８は、表示板や表示シールを貼り付けたもの、あるいは透明プレートに直接銘記したものでも良い。このように、各々の収納室１に表示８を設けた粒度分布サンプルは、表示された粒径を参考にしながら、骨材の粒度分布と形状を観察できる。
【００２０】
以上の実施例の粒度分布サンプルは、４または５個の収納室を設けて、これらの収納室に、粒度ごとに選別された骨材を収納している。ただ、本発明の粒度分布サンプルは、収納室の数を３個とすることも、６個以上とすることもできる。収納室の数を多くする粒度分布サンプルは、骨材の粒度分布をより細分化できる特長がある。
【００２１】
【発明の効果】
本発明の骨材の粒度分布サンプルは、粒度分布のみでなくその粒子形状や充填状態をも明確に表示できる特長がある。それは、本発明の粒度分布サンプルが、水平断面を同一断面積とする３つ以上の収納室を隣接して配設すると共に、収納室の前面が透光性を有しており、複数の収納室に、片方の端部から他方の端部に向かって次第に粒径が大きくなるように骨材を充填して、充填している骨材の高さで粒度分布を表示しているからである。この構造の粒度分布サンプルは、すべての収納室の水平断面を等しくしているので、各収納室に収納される骨材の高さを比べることにより、粒量の分布を認識できる。さらに、この粒度分布サンプルは、前面が透光性を有するので、骨材の粒度分布だけでなく、その粒子形状や充填状態も詳細に観察できる。このように、粒度分布だけでなく、その粒子形状も明確に表示できる粒度分布サンプルは、その骨材が用途に最適であるかどうかを明確に識別できる特長がある。
【図面の簡単な説明】
【図１】本発明の実施例１の粒度分布サンプルを示す斜視図
【図２】本発明の実施例２の粒度分布サンプルを示す斜視図
【図３】本発明の実施例１の粒度分布サンプルを示す斜視図
【図４】本発明の実施例１の粒度分布サンプルを示す斜視図
【図５】本発明の実施例１の粒度分布サンプルを示す斜視図
【図６】骨材の粒度分布の一例を示すグラフ
【符号の説明】
１…収納室
２…前板
３…後板
４…底板
５…側板
６…隔壁
７…筒体
８…表示
【図１】
0003686410.tif 000002
【図２】
0003686410.tif 000003
【図３】
0003686410.tif 000004
【図４】
0003686410.tif 000005
【図５】
0003686410.tif 000006
【図６】
0003686410.tif 000007